(57)【要約】【課題】本発明は集塵機能を有するタイルカーペットの敷設方法、より具体的には模様を付与した集塵性タイルカーペットを２以上敷設し、さらに、前記タイルカーペットの位置、及び方向を変更して敷設するという意匠性付与の多様性に優れた集塵性タイルカーペットの敷設方法の提供を目的とする。【解決手段】本発明は表面のパイルにより集塵機能を有するタイルカーペット敷設方法であって、表面に意匠を付与した２以上の前記タイルカーペットの配置および／または方向を適宜変更することにより、前記タイルカーペットを敷設した床面の意匠に多様性を付与する集塵性タイルカーペットの敷設方法等を特徴とする。【選択図】図２
2004283479.tif 000002
【特許請求の範囲】
【請求項１】
表面のパイルにより集塵機能を有するタイルカーペット敷設方法であって、表面に意匠を付与した２以上の前記タイルカーペットの配置および／または方向を適宜変更することにより、前記タイルカーペットを敷設した床面の意匠に多様性を付与する集塵性タイルカーペットの敷設方法。
【請求項２】
表面のパイルにより集塵機能を有するタイルカーペット敷設方法であって、表面に意匠を付与した２以上の前記タイルカーペットの配置および／または方向を適宜変更することにより、前記タイルカーペット中の、人の歩行の導線部に該当する部分を変更することにより、前記タイルカーペットの各々についての寿命を延長する集塵性タイルカーペットの敷設方法。
【請求項３】
集塵機能を有するタイルカーペットに付与された意匠がプリント加工により形成された請求項１、又は２記載の集塵性タイルカーペットの敷設方法。
【発明の詳細な説明】
【０００１】
【発明の属する技術分野】
本発明は集塵機能を有するタイルカーペット（以下、集塵性タイルカーペットと記す）の敷設方法、より具体的には模様を付与した集塵性タイルカーペットを２以上敷設し、さらに、前記タイルカーペットの位置、及び方向を変更して敷設するという意匠性付与の多様性に優れた集塵性タイルカーペットの敷設方法に関する。
【０００２】
【従来の技術】
従来、集塵機能を有したマット（以下、集塵性マットと記す）は出入り口のドア付近に設置され、床面との段差を生じることから、美観上、及び安全上の問題点が多かった。そこで、集塵性マットを室内の入り口に隣接して施工されるタイルカーペットの１辺の長さの整数倍の１辺の長さの整数倍の１辺を有する矩形部を残して、該矩形部の室内側に前記タイルカーペットを固定すること、該矩形部に一致する寸法のタイルカーペットマットをドアの開閉に支障のないように該矩形部に嵌合すること、固定されたタイルカーペットよりも室内側の残りの部分全部にタイルカーペットを敷きつめる床材の敷設方法により、床に敷設されている床材の上面部の高さと前記集塵マットの上面部の高さと略同じにすることにより、上記美観上、及び安全上の問題点を解消する発明が提供されている。（特公平６−１０３８７号公報）
【０００３】
【特許文献１】
特公平６−１０３８７号公報（特許請求の範囲）
【０００４】
【発明が解決しようとする課題】
しかしながら、前記従来の発明は集塵性マットとの段差を解消することによる、美観上、安全上の問題を解決することができるものの、集塵性マットは意匠性に乏しいため、タイルカーペットを敷設する部分の美観に欠けてしまう。一方で殆どの場合、前記集塵性マットとともに敷設される床材は多種多様の意匠が付与されていることが多いため、前記集塵性マットが床全体の意匠を低下させてしまうという問題があった。また、集塵性マットは通常テナントビルの個々のテナント、特に店舗の場合には当該テナント内の床材の汚損を防止し、床材のメンテナンス作業の省力化の観点から、各々の出入り口付近に集塵性マットを敷設することが好ましい。しかし、上述したように集塵性マットが敷設されていることで、床面全体の意匠性を損なうことになるため、特にテナント内の店舗では使用が敬遠されていた。さらに、集塵性マットは通常同じものが継続的に同じ場所で使用されるため、汚損も早くメンテナンス作業も頻繁に行わなければならない。また、必然的に集塵性マットのパイルのへたり等が早く寿命も短いものとなり、経済的に非常に不利である上、前記集塵性マットは産業廃棄物となるため、環境負荷という観点からの好ましくなかった。
【０００５】
【課題を解決するための手段】
そこで、本発明は上記問題を解決したものであり、表面のパイルにより集塵性カーペット敷設方法であって、表面に模様を付与した２以上の前記タイルカーペットを適宜配置を変更することにより、前記タイルカーペットを敷設した床面の意匠に多様性を付与する集塵性タイルカーペットの敷設方法を提供するものである。本発明によると、集塵性タイルカーペットの表面に意匠を付与しているため、前記集塵性タイルカーペットとともに敷設される通常のタイルカーペット等の床材との違和感が解消され、床面全体の意匠性も損なわないので、任意の箇所に敷設することができる。また、本発明敷設方法は意匠性を損なわないため、例えば、従来の集塵性マットを敷設することができなかった量販店、又はデパートといったテナント形式の店舗に通じる人の歩行部分にくまなく集塵性タイルカーペットの敷設が可能であり、店舗内の床材の汚れを防止させ、メンテナンス作業の労力を軽減することができる。さらには床材自体にメンテナンス、又は土、砂等の持込等による床材表面の磨耗を軽減させることができるため、周辺の床材自体の寿命を延ばすこともできる。また、床面の模様替えの際も適宜集塵性タイルカーペットを入れ替えることにより容易に行うことができる。また、従来、意匠性の面から敷設が不可能であった人の歩行の導線部に限定して、集塵性タイルカーペットを敷設することができ、集塵性タイルカーペットの用途は飛躍的に広くすることができる。
【０００６】
また、請求項２記載の発明は、表面のパイルにより集塵性タイルカーペット敷設方法であって、表面に意匠を付与した２以上の前記タイルカーペットの配置および／または方向を適宜変更することにより、前記タイルカーペット中の、人の歩行の導線部に該当する部分を変更することにより、前記タイルカーペットの各々についての寿命を延長する集塵性タイルカーペットの敷設方法、を提供するものである。集塵性タイルカーペット等は表面に負担がかかりやすく、特に人が歩行する導線部のへたりや汚損が激しいが、本発明敷設方法によると、集塵タイルカーペットの入れ替えることにより、へたりを防止し、集塵性タイルカーペットも結果的に長持させることができる。請求項１記載の発明と同様、各々の集塵性タイルカーペットの配置および／または方向を適宜変更することによって意匠が変化するものであっても、変化しないものであっても良い。
【０００７】
さらに、請求項３記載の発明は、請求項１、又は２記載の特徴に加え、集塵機能を有するタイルカーペットに付与された意匠がプリント加工により形成された集塵性タイルカーペットの敷設方法を提供するものである。本発明は従来意匠性が乏しいために、周辺に敷設されたタイルカーペット等の床材と意匠性面で調和をとる事が困難であった集塵性タイルカーペットに意匠性を付与することにより、より床面全体の意匠性を向上させることを目的の一つとしている。集塵性タイルカーペットの表面パイルにプリントを施すことにより、多種多様の意匠の付与が可能となり、周囲とのタイルカーペット等との意匠面での調和がとりやすくなり、床面全体の意匠性の向上が容易となる。
【０００８】
【発明の実施の形態】
以下、図面を参照しながら、本発明敷設方法についてさらに詳述する。
図１は一枚の集塵性タイルカーペットについて、縦横に直角に交差するラインと当該ラインによって形成される矩形部を一方の対角線に沿って着色することにより、チェック柄を付与した集塵性タイルカーペット４枚を敷設した一例の平面図を示す。図１において、位置関係を明確にするため、各々の集塵性タイルカーペットの左上部に１〜４の番号が付してある。例えば、模様を変更したい場合、本発明敷設方法により前記「２」の番号を付した集塵性タイルカーペット、及び「３」の番号を付した集塵性タイルカーペットを右方向へ９０°回転させる。その状態を図２に示す。図１においては小さなチェック柄であったが、前記「２」の番号を付した集塵性タイルカーペット、及び「３」の番号を付した集塵性タイルカーペットのみ９０°右方向へ回転させるだけで、全体として大柄のチェック柄にすることができ、模様を大幅に変化させることができる。このように、ごく単純な意匠性しか付与されていなくとも上述のように集塵性タイルカーペットの一部を回転させることで、敷設されている床材の意匠性を変化させることができる。
【０００９】
また、集塵性タイルカーペットの床面上の位置を変更することにより、前記集塵性タイルカーペットのパイルの早期のへたりを防止し、各々の集塵性カーペットタイルの寿命を効果的に延ばすことができる。図３に図１と同様の集塵性タイルカーペットが敷設された一例の平面図を示す。また、図３において、５は人の歩行の導線部を示す。当該導線部５は集塵性カーペットタイルの場合、通常、靴等に付着した泥や土、砂を除去するために、靴の裏面によってこすられるため、最もパイルのへたりが著しい部分である。当該パイルのへたりは集塵性タイルカーペットの寿命に最も影響を与え、導線部以外のパイルのへたりが生じていなくとも早期の貼り替えが必要となるが、かかる貼り替えを行ったとしても周囲に敷設されている集塵性タイルカーペットとの色目等意匠上の違和感が残ることはさけられない。
【００１０】
また、一般に集塵性タイルカーペットはその性質上、早期に汚れやすい。特に、人の歩行の導線部はより汚れがひどくなる傾向にあり、外観上好ましくないため、頻繁にメンテナンスをする必要がある。一部分の集塵性タイルカーペットが汚れやすいため、メンテナンスを行った後、前記メンテナンスを行った部分の集塵性タイルカーペットのみが床全体の中で際立ってしまうという問題もある。
【００１１】
そこで、図４に示すように本発明敷設方法により各々の集塵性タイルカーペットを１８０°回転させることで従来は集塵性タイルカーペットの表面の一部のみしか導線部として使用できなかったが、集塵性タイルカーペット全体を導線部とすることができ、結果として集塵性タイルカーペットの表面パイルを導線部に均一に使用可能であるため、集塵性タイルカーペットの寿命を飛躍的に延ばすことができる。
【００１２】
さらに、本発明敷設方法により、集塵性タイルカーペットの汚れを分散することができるため、汚れが目立たず、メンテナンスの期間を延ばすこともでき、従来のように一部の集塵性タイルカーペットのみが際立ってしまうということもない。さらに、メンテナンスの頻度を減少させることができるため、集塵性タイルカーペットの維持費用の節減にも非常に有益である。
【００１３】
【実施例】
１．耐へたり性試験
（実施例）
３種類の集塵性タイルカーペットについて、図１に示すように４枚の集塵性タイルカーペットを敷設した。耐へたり性は敷設前の集塵性タイルカーペットのパイルの高さの最も低い部分を「人の歩行前のパイルの高さ」とし、歩行量が１５００人／日の条件の下、１５日後に人の歩行の導線部のにあたる部分を有する集塵性タイルカーペットを１８０°回転させ、さらに１５日間敷設し、パイルの高さの最も低い部分を「人の歩行後のパイルの高さ」とした。人の歩行後のパイルの高さから、人の歩行前の集塵性タイルカーペットのパイルの高さの減少の割合を算出し、「へたり率（％）」とした。尚、へたり率の計算式は下記の通りである。
へたり率（％）＝（人の歩行前のパイルの高さ−人の歩行後のパイルの高さ）×１００／（人の歩行前のパイルの高さ）
（比較例）
集塵性タイルカーペットを動かさず、歩行量が１５００人／日の条件の下、３０日後の人の歩行の導線部の集塵性タイルカーペットのパイルの高さを「人の歩行後のパイルの高さ」にした以外は上記「（実施例）」と同様に行った。
詳細は「表１」の通りである。また、上述したように、集塵性タイルカーペットを１８０°回転させることにより、回転前と異なった意匠を付与することができ、意匠が容易に変更することが確認された。
２．汚損レベル試験
（実施例）
３種類の集塵性タイルカーペットについて、歩行量が１５００人／日の条件の下、１５日間敷設し、各々の集塵性タイルカーペットを右方向へ１８０°回転させ、さらに、１５日間敷設後、各々の集塵性タイルカーペットの汚損状況を調査した。調査は目視で行い、標準光源（３Ａ光源）で２０００ｌｘ照射の下、タイルカーペット表面を立位点から４５°の角度で５段階の汚損レベルで示した。汚損レベルの評価基準は下記の通りである。尚、３以下がメンテナンス、又は貼り替えが必要となる。１：非常にひどい汚損状況である。２：かなりひどい汚損状況である。３：かなりの汚損状況である。４：わずかな汚損状況である。５：殆ど汚損状況が認められない。詳細は「表１」の通りである。
（比較例）
集塵性タイルカーペットを回転させない以外は上記「（実施例）」と同様に行った。
【表１】
2004283479.tif 000003
３．砂等の除去性試験
（実施例）
外部からの入り口から３０ｍｍ２の部屋（平均１００人／日が使用）に至るまでの人の歩行の導線部１０ｍにわたり５００ｍｍ角の集塵性タイルカーペットを２枚並列（１ｍ幅）で敷設し、１日ずつ前記部屋に持ち込まれた砂等を採取し、「砂等の持込量」として重量を測定した。尚、前記集塵性タイルカーペッの周囲には通常のタイルカーペットが敷設されている。また、前記部屋は導線部を通行し、平均１００人／日が使用するものであった。
（比較例）
集塵性タイルカーペットに代えて、周囲と同種の通常のタイルカーペットを敷設した以外は、「（実施例）」と同様に行った。
詳細は「表２」に示す。
【表２】
2004283479.tif 000004
【００１４】
【発明の効果】
本発明は以上のような形態で実施され、下記の効果を奏する。
集塵性タイルカーペットの表面に意匠を付与することで、前記集塵性タイルカーペットに隣接して敷設された床材との違和感がなくなり、床面の全体としての意匠性が向上し、従来敷設することができなかったテナント形式の店舗等の人の進入部分にもくまなく集塵性タイルカーペットの敷設が可能となる他、性質上パイルのへたりが早い集塵性タイルカーペットの寿命をのばすことができる。さらに、テナント形式の店舗等においては、その進入部分に敷設することにより、砂等の店舗内への持ち込みが減少し、店舗内の床材のメンテナンス作業の省力化、及び寿命を延ばすことができる。また、間接的に産業廃棄物減少に寄与することができ、環境負荷の観点から非常に有益である。
【００１５】
また、集塵性タイルカーペットを適宜回転させ、又は入れ替えることにより、集塵性タイルカーペットが敷設してある部分の意匠の多様性が向上する。さらに、前記集塵性タイルカーペットに隣接して敷設された床材との意匠の組み合わせにより、意匠性の多様性が一層向上する。
【００１６】
さらに、集塵性タイルカーペットは人の歩行の導線上の汚損が激しいため、他の部分の汚損が軽微でも取替えし洗浄しなければならないが、集塵性タイルカーペットの位置や方向性を変更することにより、前記タイルカーペットの特定部位の汚損を防止し、均等に汚損するようにすることができるようになるため、集塵性タイルカーペットの取替え洗浄までの期間が飛躍的に伸長させることができる。
【００１７】
【図面の簡単な説明】
【図１】チェック柄を有した集塵性タイルカーペットを４枚敷設した一例の平面図を示す。
【図２】本発明敷設方法により一部の集塵性タイルカーペットを右方向９０°回転させることで、意匠を変化させた一例の平面図を示す。
【図３】チェック柄を有した集塵性タイルカーペット４枚を敷設し、人の歩行の導線部を図示した一例の平面図を示す。
【図４】本発明敷設方法により一部の集塵性タイルカーペットを１８０°回転させることにより、人の歩行の導線部の移動した状態の一例の平面図を示す。
【符号の説明】
６，９      人の歩行の導線部
７，８      人の歩行の導線部であった部分
【図１】
2004283479.tif 000005
【図２】
2004283479.tif 000006
【図３】
2004283479.tif 000007
【図４】
2004283479.tif 000008